【手続補正書】
【提出日】平成23年2月24日(2011.2.24)
【手続補正１】
【補正対象書類名】特許請求の範囲
【補正対象項目名】全文
【補正方法】変更
【補正の内容】
【特許請求の範囲】
【請求項１】
ウェッジタイプのゴルフクラブヘッドにおいて、
ホーゼルと、
上記ホーゼルにロフト角で結合された本体であって、打撃面および背面部を有し、この打撃面が当該打撃面と直角をなし当該打撃面の衝撃点を通る中立軸を定義する上記本体と、
上記本体の底部において地面に少なくとも部分的に接するソールであって、上記打撃面および上記背面部を連結する上記ソールとを有し、
上記ロフト角が４５度より大きく、かつ、
上記ウェッジタイプのゴルフクラブヘッドの重心が上記打撃面の後方で、かつ上記中立軸に実質的に沿って配置される、ウェッジタイプのゴルフクラブヘッド。
【請求項２】
ウェッジタイプのゴルフクラブヘッドにおいて、
ホーゼルと、
上記ホーゼルにロフト角で結合された本体であって、打撃面および背面部を有する上記本体と、
上記本体の底部において地面に少なくとも部分的に接するソールであって、上記打撃面および上記背面部を連結する上記ソールとを有し、
上記ロフト角が４５度より大きく、
上記ソールはさらにウェイト部を有し、かつ
上記ウェイト部の密度は上記ウェッジタイプのゴルフクラブヘッドの残りの部分の密度より大きい、ウェッジタイプのゴルフクラブヘッド。
【請求項３】
ウェッジタイプのゴルフクラブヘッドにおいて、
ホーゼルと、
上記ホーゼルにロフト角で結合された本体であって、打撃面および背面部を有し、この打撃面が当該打撃面と直角をなし当該打撃面の衝撃点を通る中立軸を定義する上記本体と、
上記本体の底部において地面に少なくとも部分的に接するソールであって、上記打撃面および上記背面部を連結する上記ソールとを有し、
上記ロフト角が４５度より大きく、かつ、
上記ウェッジタイプのゴルフクラブヘッドの重心が、上記中立軸により二分される上記ウェッジタイプのゴルフクラブヘッドの放物線領域内に配置され、
上記放物線領域が、さらに、
上記打撃面の打撃点に位置づけられた焦点と、
上記本体の上記背面部に向いた開口方向とを伴う、ウェッジタイプのゴルフクラブヘッド。
【請求項４】
ウェッジタイプのゴルフクラブヘッドにおいて、
ホーゼルと、
上記ホーゼルにロフト角で結合された本体であって、打撃面および背面部を有し、この打撃面が当該打撃面と直角をなし当該打撃面の衝撃点を通る中立軸を定義する上記本体と、
上記本体の底部において地面に少なくとも部分的に接するソールであって、上記打撃面および上記背面部を連結する上記ソールとを有し、
上記ロフト角が４５度より大きく、かつ、
上記ウェッジタイプのゴルフクラブヘッドの性能比が８５３３００ｒｐｍ×ｋｍ／ｈ（５３００００ｒｐｍ×ｍｐｈ）より大きい、ウェッジタイプのゴルフクラブヘッド。
【手続補正２】
【補正対象書類名】明細書
【補正対象項目名】００５６
【補正方法】変更
【補正の内容】
【００５６】
ここに説明した発明の事例的な実施例はこの発明の好ましい実施例を満たすことは明らかであるが、種々の変更や他の実施例を当業者が想到できることを理解されたい。したがって、特許請求の範囲は、そのような変更や他の実施例をすべてカバーするように意図されており、この発明の精神およびスコープの範囲に入ると理解されたい。
以下、この発明の技術的特徴を列挙しておく。
［技術的特徴１］
ウェッジタイプのゴルフクラブヘッドにおいて、
ホーゼルと、
上記ホーゼルにロフト角で結合された本体であって、打撃面および背面部を有し、この打撃面が当該打撃面と直角をなし当該打撃面の衝撃点を通る中立軸を定義する上記本体と、
上記本体の底部において地面に少なくとも部分的に接するソールであって、上記打撃面および上記背面部を連結する上記ソールとを有し、
上記ロフト角が約４５度より大きく、かつ、
上記ウェッジタイプのゴルフクラブヘッドの重心が上記打撃面の後方で、かつ上記中立軸に実質的に沿って配置される、ウェッジタイプのゴルフクラブヘッド。
［技術的特徴２］
上記重心が、上記中立軸により二分される上記ウェッジタイプのゴルフクラブヘッドの放物線領域内に配置され、
上記放物線領域が、さらに、
上記打撃面の打撃点に位置づけられた焦点と、
上記本体の上記背面部に向いた開口方向とを伴う、技術的特徴１記載のウェッジタイプのゴルフクラブヘッド。
［技術的特徴３］
上記中立軸と上記放物線領域内の任意の点との間の距離が約５ｍｍより小さい技術的特徴２記載のウェッジタイプのゴルフクラブヘッド。
［技術的特徴４］
上記重心は上記地面から約１５ｍｍより小さく配置される技術的特徴３記載のウェッジタイプのゴルフクラブヘッド。
［技術的特徴５］
上記衝撃点は上記地面から約１０ｍｍから約２０ｍｍのところに配置される技術的特徴４記載のウェッジタイプのゴルフクラブヘッド。
［技術的特徴６］
上記衝撃点は上記地面から約１２ｍｍから約１８ｍｍのところに配置される技術的特徴４記載のウェッジタイプのゴルフクラブヘッド。
［技術的特徴７］
上記衝撃点は上記地面から約１５ｍｍのところに配置される技術的特徴４記載のウェッジタイプのゴルフクラブヘッド。
［技術的特徴８］
上記ソールはさらにウェイト部を有し、上記ウェイト部の密度は上記ウェッジタイプのゴルフクラブヘッドの残りの部分の密度より大きい技術的特徴５記載のウェッジタイプのゴルフクラブヘッド。
［技術的特徴９］
上記ウェッジタイプのゴルフクラブヘッドの上記重心は上記中立軸の線上にちょうどある技術的特徴８記載のウェッジタイプのゴルフクラブヘッド。
［技術的特徴１０］
上記ウェイト部は上記ソールを通る円筒形の棒である技術的特徴８記載のウェッジタイプのゴルフクラブヘッド。
［技術的特徴１１］
上記ウェイト部は実質的に上記ソールの全体を包囲する技術的特徴８記載のウェッジタイプのゴルフクラブヘッド。
［技術的特徴１２］
ウェッジタイプのゴルフクラブヘッドにおいて、
ホーゼルと、
上記ホーゼルにロフト角で結合された本体であって、打撃面および背面部を有する上記本体と、
上記本体の底部において地面に少なくとも部分的に接するソールであって、上記打撃面および上記背面部を連結する上記ソールとを有し、
上記ロフト角が約４５度より大きく、
上記ソールはさらにウェイト部を有し、かつ
上記ウェイト部の密度は上記ウェッジタイプのゴルフクラブヘッドの残りの部分の密度より大きい、ウェッジタイプのゴルフクラブヘッド。
［技術的特徴１３］
上記打撃面が当該打撃面と直角をなし当該打撃面の衝撃点を通る中立軸を定義し、上記ウェッジタイプのゴルフクラブヘッドの重心が上記打撃面の後方で、かつ上記中立軸に実質的に沿って配置される技術的特徴１２記載のウェッジタイプのゴルフクラブヘッド。
［技術的特徴１４］
上記重心が、上記中立軸により二分される上記ウェッジタイプのゴルフクラブヘッドの放物線領域内に配置され、
上記放物線領域が、さらに、
上記打撃面の打撃点に位置づけられた焦点と、
上記本体の上記背面部に向いた開口方向とを伴う、技術的特徴１３記載のウェッジタイプのゴルフクラブヘッド。
［技術的特徴１５］
上記中立軸と上記放物線領域内の任意の点との間の距離が約５ｍｍより小さい技術的特徴１４記載のウェッジタイプのゴルフクラブヘッド。
［技術的特徴１６］
上記重心は上記地面から約１５ｍｍより小さく配置される技術的特徴１５記載のウェッジタイプのゴルフクラブヘッド。
［技術的特徴１７］
上記ウェイト部は上記ソールを通る円筒形の棒である技術的特徴１６記載のウェッジタイプのゴルフクラブヘッド。
［技術的特徴１８］
ウェッジタイプのゴルフクラブヘッドにおいて、
ホーゼルと、
上記ホーゼルにロフト角で結合された本体であって、打撃面および背面部を有し、この打撃面が当該打撃面と直角をなし当該打撃面の衝撃点を通る中立軸を定義する上記本体と、
上記本体の底部において地面に少なくとも部分的に接するソールであって、上記打撃面および上記背面部を連結する上記ソールとを有し、
上記ロフト角が約４５度より大きく、かつ、
上記ウェッジタイプのゴルフクラブヘッドの重心が、上記中立軸により二分される上記ウェッジタイプのゴルフクラブヘッドの放物線領域内に配置され、
上記放物線領域が、さらに、
上記打撃面の打撃点に位置づけられた焦点と、
上記本体の上記背面部に向いた開口方向とを伴う、ウェッジタイプのゴルフクラブヘッド。
［技術的特徴１９］
上記中立軸と上記放物線領域内の任意の点との間の距離が約５ｍｍより小さい技術的特徴１８記載のウェッジタイプのゴルフクラブヘッド。
［技術的特徴２０］
上記重心は上記地面から約１５ｍｍより小さく配置される技術的特徴１９記載のウェッジタイプのゴルフクラブヘッド。
［技術的特徴２１］
ウェッジタイプのゴルフクラブヘッドにおいて、
ホーゼルと、
上記ホーゼルにロフト角で結合された本体であって、打撃面および背面部を有し、この打撃面が当該打撃面と直角をなし当該打撃面の衝撃点を通る中立軸を定義する上記本体と、
上記本体の底部において地面に少なくとも部分的に接するソールであって、上記打撃面および上記背面部を連結する上記ソールとを有し、
上記ロフト角が約４５度より大きく、かつ、
上記ウェッジタイプのゴルフクラブヘッドの性能比が約５３００００ｒｐｍ＊ｍｐｈより大きい、ウェッジタイプのゴルフクラブヘッド。
［技術的特徴２２］
上記ウェッジタイプのゴルフクラブヘッドの上記性能比の向上が従来のウェッジタイプのゴルフクラブヘッドより約２００００ｒｐｍ＊ｍｐｈである技術的特徴２１記載のウェッジタイプのゴルフクラブヘッド。
［技術的特徴２３］
上記重心が、上記中立軸により二分される上記ウェッジタイプのゴルフクラブヘッドの放物線領域内に配置され、
上記放物線領域が、さらに、
上記打撃面の打撃点に位置づけられた焦点と、
上記本体の上記背面部に向いた開口方向とを伴う、技術的特徴２２記載のウェッジタイプのゴルフクラブヘッド。
［技術的特徴２４］
上記重心は上記地面から約１５ｍｍより小さく配置される技術的特徴２３記載のウェッジタイプのゴルフクラブヘッド。
［技術的特徴２５］
上記中立軸と上記放物線領域内の任意の点との間の距離が約５ｍｍより小さい技術的特徴２４記載のウェッジタイプのゴルフクラブヘッド。
［技術的特徴２６］
上記ソールはさらにウェイト部を有し、上記ウェイト部の密度は上記ウェッジタイプのゴルフクラブヘッドの残りの部分の密度より大きい技術的特徴５記載のウェッジタイプのゴルフクラブヘッド。